(57)【要約】【課題】従来の電磁誘導結合による充電方式を備えた電子機器では、充電を効率よく行うために一次コイルと二次コイルとの距離や磁束の通り道に影響する互いの位置決めを正確に行うことが課題であった。【解決手段】二次電池１と二次コイル２と磁束遮蔽部材４とを枠体３に固定し、枠体３と回路基板５は複数の位置決めボス等によって固定する。磁束遮蔽部材４により、デッドスペースとなっていた二次コイル２と回路基板５との間にも電子部品を配置できる。また、枠体３には電子部品６と二次電池１との電気的短絡を防止するために短絡防止壁７を構成する。このような構成とすることにより、各部品の位置決め精度が向上し、電子機器の組み立て効率も向上する。電磁誘導結合による充電効率も向上する。【選択図】  図１
2006029787.tif 000002
【特許請求の範囲】
【請求項１】
一次コイルからの電磁誘導により電流を発生する二次コイルと、該電流を電力として蓄える二次電池と、回路基板と、前記一次コイルと前記二次コイルとによって作られる磁束を遮蔽する磁束遮蔽手段と、を有し、
前記回路基板の平面範囲内に前記二次コイルと前記二次電池とを平面的に並べて設け、
前記磁束遮蔽手段は、前記二次コイルの前記回路基板側に設け、
前記磁束遮蔽手段と前記回路基板との間に電子部品を設けることを特徴とする電子機器。
【請求項２】
前記二次コイルと前記二次電池と回路基板と前記磁束遮蔽手段とを固定する枠体を有し、
前記枠体は、前記二次コイルを位置決めして固定する二次コイル取付部と、前記二次電池を位置決めして固定する二次電池取付部と、前記回路基板を位置決めして固定する回路基板取付部と、前記磁束遮蔽手段の上下方向と水平方向とを位置決めして固定する磁束遮蔽手段取付部と、を一体に構成していることを特徴とする請求項１に記載の電子機器。
【請求項３】
前記枠体は、前記電子部品と前記二次電池との間に設ける、電気的短絡を防止する短絡防止部を有することを特徴とする請求項１または２に記載の電子機器。
【請求項４】
前記磁束遮蔽手段は、前記二次コイルのコアと一体に構成してなり、磁性体で構成することを特徴とする請求項１から３に記載の電子機器。
【発明の詳細な説明】
【技術分野】
【０００１】
この発明は、一次コイルと二次コイルとの電磁的な誘導結合によって二次電池を充電する機能を有する電子機器であり、内蔵する枠体に電子部品が配置される構造の電子機器に関する。
【背景技術】
【０００２】
電磁的な誘導結合（以下、単に電磁誘導結合という）によって充電を行う電子機器では、充電用の二次コイルと二次電池とを必要とする。電磁誘導結合の場合、電源側の一次コイルと受電側の二次コイルとの平面位置関係と垂直位置関係（間隔）とが重要である。一次コイルと二次コイルとの平面的な位置関係がずれたり、その間隔が大きすぎると電磁誘導の効率が低下する。これは、一次コイルからの磁束が充分二次コイルまで到達していないと、二次コイルに発生する誘導起電力が充分ではないためである。また、一次コイルと二次コイルとの間隔が小さいとこれらコイルが発熱する。さらに、一次コイルと二次コイルとの間に発生する磁束の影響から、これらコイルに近接して金属体や磁性体が存在すると電磁誘導の効率が低下する。
【０００３】
電子機器を構成する電子部品は、電子機器の内部の回路基板に実装するものや、内蔵する枠体に収納して使用するものがある。もちろん、回路基板そのものを枠体に収納する場合もある。
電子機器によっては、実装効率を上げダウンサイジングをする目的等から、枠体に収納する電子部品が分散して配置されることがある。このような場合においても、電子部品の電気的な接続や絶縁は、簡単かつ確実に行えることが必要である。
特許文献１に示した従来技術の電磁誘導充電式携帯時計は、電磁誘導結合による充電構造を開示しており、一次コイルと二次コイルとの位置決めを正確にする必要があること、および電磁誘導結合時の磁束が時計用ムーブメントに影響する事態に対して磁気シールド板を配置することで磁束の影響を無くす構造を開示している。
【０００４】
図を用いて詳しく説明する。図５は特許文献1に示した従来技術である。図５は、特許文献１に示した従来技術をその発明の主旨を逸脱しない範囲において書き直した図である。
図５において、５０は時計ケース、５１はムーブメント、５２は磁気シールド板、５３は二次コイル、５４は充電器、５５は充電回路、５６は一次コイルである。
【０００５】
時計ケース５０は、図５の上方を文字盤側とし下方を裏蓋側とする。時計ケース５０には、ムーブメント５１を設けており、時計ケース５０の裏蓋側に磁気シールド板５２と二次コイル５３とを設けている。磁気シールド板５２は、後述する電磁誘導結合による充電の際にムーブメント５１などが受ける磁束の影響を遮蔽するために設ける遮蔽手段である。充電器５４には、充電回路５５と一次コイル５６とを設けている。
時計ケース５０と充電器５４とを離間して配置する。この状態で充電作業を行うと、時計ケース５０の二次コイル５３と充電器５４の一次コイル５６との間の電磁誘導結合により、二次コイル５３に生じる誘導起電力を利用し、時計ケース５０内に設けた二次電池（図示しない）に充電が行われる。
【０００６】
【特許文献１】特開２００２−５５１７６号公報（第４頁、第１図）
【発明の開示】
【発明が解決しようとする課題】
【０００７】
電磁誘導結合による充電を効率よく行うためには、一次コイルと二次コイルとの距離や磁束の通り道に影響する互いの位置関係が重要である。電磁誘導結合による充電を必要とする電子機器は、その組み立ての際に、電子機器を構成する電子部品を正確に配置しなければならない。つまり、特許文献１に示した従来技術では、二次コイル５３や磁気シールド板５２などが所望の位置にずれることなく正しく配置していなければならない。これら電子部品が、正しい位置に配置していないと、例えば、二次コイル５３に生じる誘導起電力が充分でなかったり、磁気シールド板５２から漏れる磁束の影響で、時計用ムーブメント５１が誤動作してしまったりと、電子機器は設計通りの充電効率にならなくなってしまう。
【０００８】
特許文献１に示した従来技術の電磁誘導充電式携帯時計は、時計用ムーブメント５１と二次コイル５３とを有している。二次コイル５３は、時計ケース５０の裏蓋の全域に大きく配置されており、また、特許文献１には図示されていない二次電池は、時計用ムーブメント５１の中に装着されていると考えられる。
特許文献１に示した従来技術の電磁誘導充電式携帯時計は、二次コイル５３と二次電池とを備えた充電機能を有する電子機器のひとつであるが、この電子機器に内蔵するモジュール内部の構造、例えば、二次コイル５３と二次電池との配置について何も記載がない。これら電子部品の配置を正確に行い、そして、電子機器の製造工程中も電子機器の使用中も電子部品がずれないようにすることは極めて重要である。
【課題を解決するための手段】
【０００９】
上記目的を達成するため、本発明の電子機器は下記に示す構造を採用する。
【００１０】
一次コイルからの電磁誘導により電流を発生する二次コイルと、電流を電力として蓄える二次電池と、回路基板と、一次コイルと二次コイルとによって作られる磁束を遮蔽する磁束遮蔽手段と、を有し、回路基板の平面範囲内に二次コイルと二次電池とを平面的に並べて設け、磁束遮蔽手段は、二次コイルの回路基板側に設け、磁束遮蔽手段と回路基板との間に電子部品を設けることを特徴とする。
【００１１】
二次コイルと二次電池と回路基板と磁束遮蔽手段とを固定する枠体を有し、枠体は、二次コイルを位置決めして固定する二次コイル取付部と、二次電池を位置決めして固定する二次電池取付部と、回路基板を位置決めして固定する回路基板取付部と、磁束磁束遮蔽手段の上下方向と水平方向とを位置決めして固定する磁束遮蔽手段取付部と、を一体に構成していることを特徴とする。
【００１２】
枠体は、電子部品と二次電池との間に設ける、電気的短絡を防止する短絡防止部を有することを特徴とする。
【００１３】
磁束遮蔽手段は、二次コイルのコアと一体に構成してなり、磁性体で構成することを特徴とする。
【発明の効果】
【００１４】
本発明の電子機器は、回路基板の平面範囲内に二次コイルと二次電池とを平面的に並べて設け、磁束遮蔽手段は二次コイルの回路基板側に設ける。磁束遮蔽手段と回路基板との間に電子部品を設ける。このような構成とすることによって、回路基板上の電子部品配置空間が拡大し、回路基板の必要面積が小さくなる。それにより、回路基板の小型化が実現され、電子機器の小型・薄型化を実現することができる。
【００１５】
また、二次コイルと二次電池と回路基板と遮蔽手段とを固定する枠体を設け、枠体にはこれらを固定する二次コイル取付部と二次電池取付部と回路基板取付部と磁束遮蔽手段取
付部とを一体に設ける。これによって、二次コイルと二次電池と回路基板と磁束遮蔽手段とのそれぞれの位置が決まり、維持されるので組立性および組立後の信頼性が向上する。特に、二次コイルが正確に位置決めできることで充電効率が向上することから、同じ充電能力であれば二次コイル自体を小型化することができるため、電子機器を小型にすることができる。
【発明を実施するための最良の形態】
【００１６】
本発明の電子機器を図を用いて説明する。本発明の実施の形態では、二次コイルと二次電池と回路基板と磁束遮蔽手段とを一体成型した枠体に取り付ける構成を説明する。
本発明の電子機器は、枠体の二次電池取付部に取り付けた二次電池と、枠体の二次コイル取付部に取り付けた二次コイルと、が平面的に重ならない配置としている。回路基板の平面範囲から逸脱しないようにこれらの二次コイルと二次電池とを並べて配置するのである。
枠体の二次コイル取付部によって、二次コイルの位置を一次コイルを有する充電器（以下、クレイドルという）の一次コイルと平面的および上下方向で正確に一致させる配置とすることができる。また、この二次コイル取付部の厚さ（上下方向寸法）によって、一次コイルとの上下方向寸法が正確に決定されるように位置決めされる。
枠体の磁束遮蔽手段取付部によって、磁束遮蔽手段は、二次コイルの回路基板側に位置決めされて設けることができる。これにより、二次コイルと回路基板との間の位置関係が正確になることから、発生する磁束を遮蔽し、磁束遮蔽手段と回路基板との間に電子部品を設けることができる。
また、二次電池と電子部品との間に短絡防止部を備えることにより、電気的な短絡による電子機器の破損・故障を防止することができる。
【実施例】
【００１７】
[本発明の電子機器内部  二次電池側の構成説明：図１]
本発明の電子機器の構成を図に基づいて説明する。図１は、本発明の電子機器内部を二次電池側から見た図である。１は二次電池、２は二次コイル、３は枠体、４は磁束遮蔽部材、５は回路基板、６は同一平面上に設ける電子部品、７は短絡防止壁、１０は二次電池接続端子、１０ｂは二次電池陰極接続片、１１は枠体位置決めボス、１２は磁束遮蔽部材位置決めボス、１３は二次コイル位置決めボス、１４は二次電池取付部、１７は二次コイル接続端子、２９は二次コイル接続端子貫通穴、３０は二次コイル接続用スルーホール、３１は二次電池陽極接続パターン、３３は二次電池陰極接続パターン、３４は二次コイル位置決め穴、３５は磁束遮蔽部材位置決め穴、３６は枠体位置決め穴である。
【００１８】
二次電池接続端子１０は二次電池１を挟み込むように接続し、二次電池１と電磁誘導により電流を発生する二次コイル２と磁束を遮蔽するための磁束遮蔽部材４とが、枠体３によって位置を固定され、回路基板５に接続している。
二次電池接続端子１０は、二次電池１の陽極と回路基板５との接続を行うものである。図１において二次電池１の上方面および側面を陽極、下方面を陰極としている。二次電池接続端子１０は、二次電池陽極接続片１０ａ（図１には図示しない）と二次電池陰極接続片１０ｂとを有しており、回路基板５に設ける二次電池陽極接続パターン３１と二次電池陰極接続パターン３３とにそれぞれ接続する。
【００１９】
枠体３は、例えば、強度が高く成形精度が高いＡＢＳ（Ａｃｒｙｌｏｎｉｔｒｉｌｅ  Ｂｕｔａｄｉｅｎｅ  Ｓｔｙｒｅｎｅ）樹脂などのプラスチック成形品で構成し、二次電池１がはまり込むように凹部形状の二次電池取付部１４を有し、二次電池１の位置を固定する。また、二次コイル接続端子１７を貫通させる二次コイル接続端子貫通穴２９が二次コイルを位置決めするので、この二次コイル接続端子貫通穴２９が二次コイル取付部を構成する。さらに、枠体位置決めボス１１が回路基板５の枠体位置決め穴３６と嵌合し位置
決めするので、この枠体位置決めボス１１が回路基板取付部を構成する。同様に、磁束遮蔽部材位置決め穴３５と磁束遮蔽部材４とが嵌合し位置決めするので、この磁束遮蔽部材位置決め穴３５が磁束遮蔽手段取付部を構成する。
【００２０】
二次コイル２は、二次コイル位置決めボス１３と二次コイル接続端子１７とを有している。磁束遮蔽部材４は、二次コイル接続端子貫通穴２９と二次コイル位置決め穴３４とを有している。二次コイル２は、二次コイル位置決めボス１３が二次コイル位置決め穴３４に嵌合することで磁束遮蔽部材４に対して位置決めされる。二次コイル接続端子１７は、二次コイル接続端子貫通穴２９を貫通し、枠体３と位置決めするとともに、二次コイル接続用スルーホール３０を通して回路基板５と接続する。
【００２１】
磁束遮蔽部材４は磁束遮蔽手段であって、フェライト等の磁性体によって構成されている。この磁性体が透過する磁束を遮蔽する効果があることは広く知られている。枠体３は磁束遮蔽部材４の形状に合わせた形状を有している。
磁束遮蔽部材４は、磁束遮蔽部材位置決めボス１２が磁束遮蔽部材位置決め穴３５に嵌合することで枠体３に対して位置決めされる。
【００２２】
二次電池１と二次コイル２と磁束遮蔽部材４との配置位置を固定した枠体３は、回路基板５と接続する。このとき、二次電池陽極接続片１０ａ（図１には図示しない）と二次電池陰極接続片１０ｂとは、二次電池陽極接続パターン３１と二次電池陰極接続パターン３３とにそれぞれ接続する。
枠体３は、枠体位置決めボス１１が枠体位置決め穴３６に嵌合することで回路基板５に対して位置決めされる。
図１においては、回路基板５に設ける枠体位置決め穴３６は２つあるように記載している。より正確に枠体３と回路基板５とを接続するためには、枠体位置決めボス１１と枠体位置決め穴３６とは複数設けた方が好ましい。枠体３と回路基板５との固定に関しては、もちろんこの限りではなく、位置決めボス以外の手段を用いてもよい。例えば、ピンやフック等で固定することも可能であり、また、ねじを用いた場合には上下方向に、ずれに対して強固に固定することが可能である。
このような構成によって、回路基板５の平面範囲内に二次電池１と二次コイル２とを平面的に並べて設けることができる。本発明の電子機器では、枠体３によって二次電池１と二次コイル２とが上下方向に重ならないように配置することができ、さらに振動等によりそれらの配置位置がずれることもないため、電磁誘導結合を行うコイルに近接して金属体である二次電池を設けても電磁誘導の効率は低下することはない。
【００２３】
磁束遮蔽部材４と回路基板５との間には電子部品を設ける。二次コイル２と回路基板５との間に磁束遮蔽部材４を設けるために、回路基板５に設ける電子部品に充電器の一次コイル（図示しない）からの磁束の影響を遮蔽できるためである。
回路基板５には、コンデンサや抵抗等の電極が表面に露出している電子部品を設ける場合も少なくない。一方、二次電池１はその上方面と外周とが陽極となっているため、電子機器として安全に、かつ、安定した動作を補償するためには、二次電池１と他の電子部品との電気的短絡を防止する必要がある。そこで本発明の電子機器では、二次電池１と、磁束遮蔽部材４と回路基板５との間に設ける電子部品との電気的短絡を防止するために、枠体３に短絡防止部として短絡防止壁７を設けている。
【００２４】
短絡防止壁７は、枠体３と磁束遮蔽部材４とが接続する部分の、二次電池１側に設けてあり、二次電池１の不測の移動（例えば、振動によるずれ）に際して、その位置を固定する役目を持っている。図１に示す例では、枠体３を立体的に構成することにより、磁束遮蔽部材４を固定するとともに、その下部の回路基板５に電子部品を設けるスペースを確保し、短絡防止部としての機能を有する構造となっている。
枠体３の磁束遮蔽部材４が固定する部分は、その下部の回路基板５に電子部品を配置することで、回路基板５の面積効率を上げる役割をもっているために、立体構造となっているが、短絡防止部は、立体的に構成した枠体３の壁面を利用した短絡防止壁７で構成することに限定するものではない。例えば、新たにピンなどの凸部形状のものを設けてもよい。
【００２５】
[本発明の電子機器内部  断面構成の説明：図２]
図２は、本発明の電子機器の内部を説明するための断面図を模式的に示した図である。図２において、図１と同一の構成要素には同一の番号を付与している。８は異平面上に設ける電子部品、９はフレキシブル配線基板、１５はフレキシブル配線基板用コネクタ、１６は表示パネルである。
本発明の電子機器では、電磁誘導結合によって一次コイル（図示しない）から二次コイル２へ電力を伝達する際の充電効率を向上させるために、二次コイル２の取付位置を二次電池１よりも高い位置（すなわち、電子機器の外側方向）に設けている。これは、二次コイル２の取付位置が二次電池１よりも低い位置（すなわち、電子機器の内側方向）の場合、二次電池１が金属で構成されているために、充電時に発生する磁束に影響を与えてしまい、充電効率を低下させてしまうことに起因する。
また、電子機器内に設ける二次コイル２は、クレイドルに設ける一次コイルに比べて小さいことが多いため、同様に二次コイル２は二次電池１よりも高い位置（外側）に設けた方が都合が良い。
【００２６】
二次コイル２は、二次コイル接続端子１７を介して回路基板５と接続しており、図示してはいないが回路基板５には電磁誘導結合によって伝達された電力を整流するための整流回路や二次電池１に充電するための充電回路、また二次電池１の充電および放電を安全に行うための保護回路等が設けられている。
二次コイル２および磁束遮蔽部材４の取付位置を固定した枠体３と回路基板５との間の空間には、二次電池１等と同一平面上に設ける電子部品６を有しており、磁束遮蔽手段４が無ければ磁束の影響で電子部品を設置できないこの空間を有効に利用することができる。もちろん、磁束の影響は回路基板にも及ぶために、このような場合、従来は、回路基板にも磁束遮蔽のための手段、例えば、導電性のシールド板で覆うなどしていた。本発明の電子機器は、磁束遮蔽手段４を設けているために、回路基板５には磁束の影響は及ばない。したがって、回路基板５の二次コイル２とは反対面にも自由に電子部品を配置することができる。これらの電子部品は、異平面上に設ける電子部品８である。
【００２７】
二次電池１等と同一平面上に設ける電子部品６や異平面上に設ける電子部品８等によって、所望の機能回路を構成する。例えば、電源回路や表示パネル１６の駆動回路やＣＰＵ（Ｃｅｎｔｒａｌ  Ｐｒｏｃｅｓｓｉｎｇ  Ｕｎｉｔ：中央演算処理装置）などである。
表示パネル１６は、フレキシブル配線基板９によって回路基板５上に設けるフレキシブル配線基板コネクタ１５と接続している。フレキシブル配線基板９は、知られているＦＰＣ（Ｆｌｅｘｉｂｌｅ  Ｐｒｉｎｔｅｄ  Ｃｉｒｃｕｉｔ Ｂｏａｒｄ）などを用いることができる。表示パネル１６は、ＬＣＤ（Ｌｉｑｕｉｄ  Ｃｒｙｓｔａｌ  Ｄｉｓｐｌａｙ）などを用いるのが好ましい。
なお、これらの部品を構成するために各部品の固定手段が必要になるが、図示が複雑になるので省略している。
【００２８】
[本発明の電子機器とクレイドルの位置・構成の説明：図３]
図３は本発明の電子機器とクレイドルの位置関係を示した図である。クレイドルを用いて本発明の電子機器を充電する様子を説明するためのものである。図３において、すでに説明した同一の構成要素には同一の番号を付与している。１８は電子機器ケース、１９はクレイドル、２０は一次コイル、２１は充電器用電子部品、２２は電源コネクタ、２３は
電源ケーブル、２４は一次コイル接続端子、２５は充電器用回路基板、２７は一次コイル位置決め穴、２８は充電器用回路基板位置決めピン、３７は木ねじである。
電子機器ケース１８には、図２で示す本発明の電子機器が収納されている。図３においては、図２に示す本発明の電子機器を上下反転した状態で、クレイドル１９と対向させて設置している様子を示している。
【００２９】
クレイドル１９は、一次コイル２０とクレイドル１９を駆動するために必要な充電器用電子部品２１と外部から電力を取り入れるための電源コネクタ２２と外部電源と接続するための電源ケーブル２３とを有している。各部品は充電器用回路基板２５に設けてあり、特に取り付け位置精度が重要な一次コイル２０は、一次コイル接続端子２４を介して取り付けられ、上下方向および平面方向の位置ずれを防止する。すなわち、一次コイル接続端子２４は、位置決めピンの役割を有しており、充電用回路基板２５に設けた一次コイル位置決め穴２７と嵌合することで、一次コイルを位置決めする。
充電器用回路基板２５は、複数の充電器用回路基板位置決めピン２８によってクレイドル１９の内壁と強固に固定している。電磁誘導による充電では、一次コイル２０と二次コイル２との位置関係が充電効率を維持するために重要であり、上下方向および平面方向にずれが生じると、充電効率が著しく低下する場合がある。充電効率劣化を防ぐために電子機器１８とクレイドル１９とを精度よく位置決めする必要がある。この位置決めに関しては、電子機器１８またはクレイドル１９のいずれか、あるいは両方に位置決めピンのような凸部と位置決め穴もしくは位置決め凹部とを設ける。また、図３に示すように、電子機器１８の外形形状とクレイドル１９の外形形状とを工夫することで、両者が嵌合する形状としてもよい。
【００３０】
[本発明の電子機器を構成する二次コイルコアと磁束遮蔽部材の一体構成の説明：図４]
図４は本発明の電子機器を構成する二次コイル２と磁束遮蔽部材４とを一体に構成した例を説明する図である。図４において、すでに説明した同一の構成要素には同一の番号を付与している。２６はコアである。
磁束遮蔽部材４は、フェライト等の磁性体によって構成すると、二次コイル２のコア２６にフェライトを使用している場合、コア２６と磁束遮蔽部材４とを一体化して構成することができる。図４においては、コア２６の周囲に導体による巻線を施し、筐体でこれを封止することで二次コイル２を構成する。これら巻線と筐体と二次コイル接続端子１７とは省略してある。
このような構成とすることによって、それまで枠体３との固定手段として必要だった二次コイル位置決めボス１３が省略できるため、構成が簡単になることで組立を簡略化することができる。
一般にフェライトの成形には金型を使用するため、成形後の形状精度は非常に高く、電磁誘導による充電に求められる上下方向および平面方向の組立精度の要求をより簡単に実現するものである。
【００３１】
以上本発明の電子機器の構成について説明をしたが、本発明の電子機器の特徴は、枠体３によって、二次電池１や二次コイル２磁束遮蔽部材４や回路基板５が正確に位置決めすることができる点にある。これにより、電磁誘導結合による充電時の充電効率が向上するものである。また、電子機器の組み立て時や使用時に不測の振動や衝撃が電子機器に印加した場合であっても、短絡防止壁７により、二次電池１と電子部品などとの接触を防止することができる。さらに、磁束遮蔽部材４により、磁束の影響を排除したために二次コイル２と回路基板５との間にも電子部品を配置することができるようになり、電子部品の実装効率が向上するものである。
【産業上の利用可能性】
【００３２】
本発明の電子機器は、電磁誘導結合による充電可能な電子機器に関し、充電効率が向上
するものである。したがって電子機器に搭載する二次コイルを小型化することができるため、携帯電子機器に用いることができる。特に、腕時計型やカード型のような小型の携帯情報端末に好適である。
【図面の簡単な説明】
【００３３】
【図１】本発明の電子機器を説明する図である。
【図２】本発明の電子機器を説明する図である。
【図３】本発明の電子機器とクレイドルの位置関係を説明する図である。
【図４】本発明の電子機器を構成する二次コイルのコアと磁束遮蔽部材を一体化した例を説明する図である。
【図５】従来技術の電子機器を説明する図である。
【符号の説明】
【００３４】
１  二次電池
２  二次コイル
３  枠体
４  磁束遮蔽部材
５  回路基板
６  同一平面上に設けた電子部品
７  短絡防止壁
８  異平面上に設けた電子部品
９  フレキシブル配線基板
１０  二次電池接続端子
１０ａ  二次電池陽極接続片
１０ｂ  二次電池陰極接続片
１１  枠体位置決めボス
１２  磁束遮蔽部材位置決めボス
１３  二次コイル位置決めボス
１４  二次電池取付部
１５  フレキシブル配線基板コネクタ
１６  表示パネル
１７  二次コイル接続端子
１８  電子機器ケース
１９  クレイドル
２０  一次コイル
２１  充電器用電子部品
２２  電源コネクタ
２３  電源ケーブル
２４  一次コイル接続端子
２５  充電器用回路基板
２６  コア
２７  一次コイル位置決め穴
２８  充電器用回路基板位置決めピン
２９  二次コイル接続端子貫通穴
３０  二次コイル接続用スルーホール
３１  二次電池陽極接続パターン
３３  二次電池陰極接続パターン
３４  二次コイル位置決め穴
３５  磁束遮蔽部材位置決め穴
３６  枠体位置決め穴
３７  木ねじ
５０  時計ケース
５１  ムーブメント
５２  磁気シールド板
５３  二次コイル
５４  充電器
５５  充電器回路
５６  一次コイル
【図１】
2006029787.tif 000003
【図２】
2006029787.tif 000004
【図３】
2006029787.tif 000005
【図４】
2006029787.tif 000006
【図５】
2006029787.tif 000007